(57)【要約】【課題】  ＶｏＩＰネットワークを特性付ける方法を提供する。【解決手段】上述した課題は、ＶｏＩＰネットワークの呼び出し端から、前記ＶｏＩＰネットワークの被呼び出し端に送られる呼び出し開始メッセージを含む複数の定義済みメッセージを送信する段階と、前記複数の定義済みメッセージの送信に応じて、前記ＶｏＩＰネットワークの前記呼び出し端で複数の定義済み応答メッセージを受け取る段階と、  複数の遅延を計算する段階であって、各遅延が、ｉ）前記メッセージを送った時間と、ｉｉ）前記応答メッセージを受け取った時間とから選択された少なくとも２つのタイミング測定値の関数である段階と、前記遅延をプログラム可能な基準値と比較することによって前記ＶｏＩＰネットワークを特性付ける段階とを有することを特徴とする方法等により解決することができる。【選択図】図１
2006340348.tif 000002
【特許請求の範囲】
【請求項１】
ボイスオーバインターネットプロトコル（ＶｏＩＰ）ネットワークを特性付ける方法であって、
前記ＶｏＩＰネットワークの呼び出し端から、前記ＶｏＩＰネットワークの被呼び出し端に送られる呼び出し開始メッセージを含む複数の定義済みメッセージを送信する段階と、
前記複数の定義済みメッセージの送信に応じて、前記ＶｏＩＰネットワークの前記呼び出し端で複数の定義済み応答メッセージを受け取る段階と、
複数の遅延を計算する段階であって、各遅延が、ｉ）前記メッセージを送った時間と、ｉｉ）前記応答メッセージを受け取った時間とから選択された少なくとも２つのタイミング測定値の関数である段階と、
前記遅延をプログラム可能な基準値と比較することによって前記ＶｏＩＰネットワークを特性付ける段階とを有することを特徴とする方法。
【請求項２】
前記複数の定義済みメッセージが、さらに、前記呼び出し開始メッセージを経由させる呼び出しプロキシサーバに送られるピングメッセージを含み、
前記複数の定義済み応答メッセージがピング応答を含み、
前記遅延が、前記ピングメッセージを送った時間と前記ピング応答を受け取った時間の差の関数であるピング遅延を含むことを特徴とする請求項１に記載の方法。
【請求項３】
前記ＶｏＩＰネットワークを特性付ける段階が、前記ＶｏＩＰネットワークの前記呼び出し端を前記呼び出しプロキシサーバに接続する第１のネットワークセグメントを特性付ける段階を含み、前記第１のネットワークセグメントが、前記ピング遅延を前記プログラム可能な基準値のうちの１つまたは複数と比較することによって特性付けられることを特徴とする請求項２に記載の方法。
【請求項４】
前記複数の定義済み応答メッセージが、前記呼び出し開始メッセージを受け取った前記呼び出しプロキシサーバを示すサーバ肯定応答を含み、
前記遅延が、ｉ）前記ピングメッセージを送った時間と前記ピング応答を受け取った時間の差と、ｉｉ）前記呼び出し開始メッセージを送った時間と前記サーバ肯定応答を受け取った時間と差の関数であるインバイト遅延を含むことを特徴とする請求項２に記載の方法。
【請求項５】
前記ＶｏＩＰネットワークを特性付ける段階が、前記呼び出しプロキシサーバの少なくとも一部分を特性付け、前記呼び出しプロキシサーバの前記少なくとも一部分が、前記インバイト遅延を前記プログラム可能な基準値のうちの１つまたは複数と比較することによって特性付けられることを特徴とする請求項４に記載の方法。
【請求項６】
前記複数の定義済み応答メッセージが、前記被呼び出し端からの第１の肯定応答を含み、前記第１の肯定応答が、ｉ）前記呼び出しプロキシサーバを介して送られ、ｉｉ）前記呼び出し開始メッセージに応じて前記被呼び出し端と連絡がとられたことを示し、
前記遅延が、前記サーバ肯定応答を受け取った時間と前記被呼び出し端からの前記第１の肯定応答を受け取った時間の差の関数であるシグナリング遅延を含むことを特徴とする請求項４に記載の方法。
【請求項７】
前記シグナリング遅延が、また、前記ＶｏＩＰネットワークの前記被呼び出し端を前記被呼び出し端が前記呼び出しを受け取るプロキシサーバに接続する第２のネットワークセグメントと関連付けられた遅延の関数であることを特徴とする請求項６に記載の方法。
【請求項８】
前記ＶｏＩＰネットワークを特性付ける段階が、ロケーションデータベースサーバのアクセスを特性付ける段階を含み、前記ロケーションデータベースサーバの前記アクセスが、前記シグナリング遅延を前記プログラム可能な基準値のうちの１つまたは複数と比較することによって特性付けられることを特徴とする請求項７に記載の方法。
【請求項９】
前記ＶｏＩＰネットワークを特性付ける段階が、前記第１と第２のネットワークセグメント間に結合された一連のプロキシサーバとネットワークセグメントの一部分または全てを特性付ける段階を含み、前記一連のプロキシサーバが、前記シグナリング遅延を前記プログラム可能な基準値のうちの１つまたは複数と比較することによって特性付けられることを特徴とする請求項７に記載の方法。
【請求項１０】
前記ＶｏＩＰネットワークの前記被呼び出し端に第２のピングメッセージを送らせる段階であって、前記第２のピングメッセージが、前記被呼び出し端が前記呼び出し開始メッセージに基づいて前記呼び出しを受け取るプロキシサーバに送られる段階と、
前記第２のピングメッセージおよび前記第２のピングメッセージに対する応答に関する情報を、前記ＶｏＩＰネットワークの前記呼び出し端に送らせる段階と、
前記情報を使用して、前記第２のネットワークセグメントと関連付けられた前記遅延を特性付ける段階とをさらに有することを特徴とする請求項７に記載の方法。
【請求項１１】
前記ＶｏＩＰネットワークを特性付ける段階が、前記第２のネットワークセグメントを特性付ける段階を含み、前記第２のネットワークセグメントが、前記第２のネットワークセグメントに関連付けられた前記遅延を前記プログラム可能な基準値のうちの１つまたは複数と比較することによって特性付けられることを特徴とする請求項１０に記載の方法。
【請求項１２】
前記複数の定義済み応答メッセージが、前記被呼び出し端からの第２の肯定応答を含み、前記第２の肯定応答が、ｉ）前記呼び出しプロキシサーバを含まない前記被呼び出し端と前記呼び出し端の間のリンクを介して送られ、ｉｉ）前記呼び出し開始メッセージに応じて前記被呼び出し端に連絡がとられることを示し、
前記遅延が、前記第１と第２の肯定応答を受け取った時間の差の関数である信号経路遅延を含むことを特徴とする請求項６から１１のいずれかに記載の方法。
【請求項１３】
前記遅延が、前記ＶｏＩＰネットワークの遅延総量を含むことを特徴とする請求項８に記載の方法。
【請求項１４】
前記ＶｏＩＰネットワークを特性付ける段階が、前記遅延と前記プログラム可能な基準値との比較に応じて前記遅延の少なくとも一部分を格付けする段階をさらに含むことを特徴とする請求項１から１３のいずれかに記載の方法。
【請求項１５】
前記遅延の少なくとも一部分が、数字で格付けされることを特徴とする請求項１４に記載の方法。
【請求項１６】
前記遅延の少なくとも一部分が、文字で格付けされることを特徴とする請求項１４に記載の方法。
【請求項１７】
前記遅延の少なくとも一部分が、グラフィックで格付けされることを特徴とする請求項１４に記載の方法。
【請求項１８】
前記遅延の少なくとも一部分が、合格／不合格の基準で格付けされることを特徴とする請求項１４に記載の方法。
【請求項１９】
前記ＶｏＩＰネットワークを特性付ける段階が、前記ネットワークの前記遅延のそれぞれによって影響を受ける部分を識別する段階を含むことを特徴とする請求項１４から１８のいずれかに記載の方法。
【請求項２０】
前記ＶｏＩＰネットワークを特性付ける段階が、各遅延を前記遅延と前記プログラム可能な基準値との比較に応じて格付けする段階を含むことを特徴とする請求項６から１９のいずれかに記載の方法。
【請求項２１】
ボイスオーバインターネットプロトコル（ＶｏＩＰ）ネットワークを特性付ける装置であって、
前記ＶｏＩＰネットワークの呼び出し端に接続するインタフェースと、
コンピュータ可読媒体であって、
前記インタフェースを介して、前記ＶｏＩＰネットワークの被呼び出し端に送られる呼び出し開始メッセージを含む複数の定義済みメッセージを送り、
前記複数の定義済みメッセージの送信に応じて、前記インタフェースを介して複数の定義済み応答メッセージを受け取り、
それぞれｉ）前記メッセージを送った時間と、ｉｉ）前記応答メッセージを受け取った時間とから選択した少なくとも２つのタイミング測定値の関数である複数の遅延を計算し、
前記遅延を前記プログラム可能な基準値と比較することによって前記ＶｏＩＰネットワークを特性付けるコードが記憶されたコンピュータ可読媒体とを具備することを特徴とする装置。
【請求項２２】
前記ＶｏＩＰネットワークの前記特性を表示する表示装置をさらに具備することを特徴とする請求項に２１記載の装置。
【請求項２３】
前記遅延と前記プログラム可能な基準値との比較に応じて各遅延を格付けするコードをさらに有し、前記格付けが前記表示装置に表示されることを特徴とする請求項２２に記載の装置。
【請求項２４】
前記ネットワークの前記遅延のそれぞれにより影響を受ける可能性が高い部分を識別するコードをさらに有し、前記ネットワークの前記部分が、対応する遅延格付けと共に表示装置に表示されることを特徴とする請求項２３に記載の装置。
【請求項２５】
前記装置が携帯型装置であることを特徴とする請求項２３または２４に記載の装置。
【請求項２６】
前記装置がＶｏＩＰ電話であることを特徴とする請求項２３から２５のいずれかに記載の装置。
【発明の詳細な説明】
【技術分野】
【０００１】
本発明は、ボイスオーバインターネットプロトコル（ボイスオーバＩＰまたはＶｏＩＰ）の特性付けの方法に関する。
【背景技術】
【０００２】
ボイスオーバインターネットプロトコル（ボイスオーバＩＰまたはＶｏＩＰ）は、公衆交換電話網（ＰＳＴＮ）の代替として次第に普及してきている。ファイルをインターネットや類似のネットワークを介して送るのと同じように、マイクロフォンおよび／またはカメラからのライブフィードをディジタル化し、パケット化したデータとしてＶｏＩＰネットワークを介して送ることができる。次に、受信側は、逆のプロセスを行い送信側からのフィードを聞いたり見たりする。
【発明の開示】
【発明が解決しようとする課題】
【０００３】
ＶｏＩＰネットワークを評価するとき、ネットワークに関する潜在的な問題の総合的指標は、ネットワークの呼び出し端と被呼び出し端の間でパケット化データを送る際に伴う遅延である。しかしながら、この遅延だけでは、ネットワークに関する問題を有効に診断し軽減するには不十分な場合がある。
【課題を解決するための手段】
【０００４】
１つの実施形態において、ＶｏＩＰネットワークを特性付ける方法は、ＶｏＩＰネットワークの呼び出し端からの複数の定義済みメッセージの送信で始まる。メッセージのうちの１つは、ネットワークの被呼び出し端に送られる呼び出し開始メッセージである。メッセージの送信に応じて、ＶｏＩＰネットワークの呼び出し端は、複数の定義済み応答メッセージを受け取る。次に、それぞれの遅延が１）メッセージを送信した時間と２）応答メッセージを受信した時間から選択した少なくとも２つのタイミング測定値の関数である複数の遅延を計算する。次に、ＶｏＩＰネットワークが、遅延をプログラム可能な基準値と比較することによって特性付けられる。他の実施形態も開示する。
【発明を実施するための最良の形態】
【０００５】
本発明の実施例を図面に示す。
【０００６】
ＶｏＩＰ呼を始めるには、いくつかの定義済みメッセージの送受信が必要である。この文脈において、図１は、ボイスオーバインターネットプロトコル（ＶｏＩＰ）ネットワークを特性付ける例示的な方法１００を示す。方法１００は、ＶｏＩＰネットワークの呼び出し端からの複数の定義済みメッセージの送信で始まる（ステップ１０２）。メッセージのうちの１つは、ＶｏＩＰネットワークの被呼び出し端に送られる呼び出し開始メッセージである。メッセージの送信に応じて、ＶｏＩＰネットワークの呼び出し端は、複数の定義済み応答メッセージを受け取る（ステップ１０４）。次に、それぞれの遅延が１）メッセージを送った時間と２）応答メッセージを受け取った時間から選択した少なくとも２つのタイミング測定値の関数である複数の遅延を計算する（ステップ１０６）。次に、遅延をプログラム可能な基準値と比較することによってＶｏＩＰネットワークを特性付ける（ステップ１０８）。１つの実施形態において、ネットワークは、遅延を格付けし、かつ／または、各遅延によって影響を受けることもあるネットワーク部分（例えば、ネットワークセグメント、ネットワーク要素、ネットワークサーバ、またはプロトコルスタック）を識別することによって特性付けられる。
【０００７】
図２は、方法１００を実施することができる例示的なＶｏＩＰネットワーク２００を示す。一般に、ネットワーク２００は、第１と第２のネットワークセグメント２０２と２０４と呼び出しプロキシサーバ２０６を含む。第１のネットワークセグメント２０２は、ＶｏＩＰネットワーク２００の呼び出し端２０８を呼び出しプロキシサーバ２０６に接続する。また、第２のネットワークセグメント２０４は、ＶｏＩＰネットワーク２００の被呼び出し端２１０を呼び出しプロキシサーバ２０６に接続する。場合によっては、第１と第２のネットワークセグメント２０２と２０４は、単に配線または光ファイバでもよい。また場合によっては、ネットワークセグメント２０２、２０４は、スイッチ、ルータおよび他の形態の通信装置を含んでもよい。
【０００８】
一般に、ＶｏＩＰネットワーク２００は双方向である。したがって、ネットワーク２００の「呼び出し」端２０８と「被呼び出し」端２１０のラベリングは任意であり、ネットワーク２００の呼び出しを行う側に依存し、ネットワーク２００の端に与えられる表示は、動的に割り当てなおすことができる。また、ほとんどのＶｏＩＰネットワークが複数のノードを含み、そのノードのそれぞれを「呼び出し端」、「被呼び出し端」または非活動ノードの形をとるように動的に割り当てなおすことができることに注意されたい。
【０００９】
ネットワーク２００によって方法１００を実現するには、ネットワーク２００の少なくとも一方の側２０８（すなわち、呼び出し端の側）にネットワーク２００を特性付ける装置２１２を接続しなければならない。ネットワーク２００の他方の側２１０には、同じかまたは異なる装置２１４を接続することができる。１つの実施形態において、ネットワーク２００を特性付ける装置２１２は、携帯型ネットワークテスタなどの携帯型装置でよい。もう１つの実施形態において、装置２１２は、デスクトップコンピュータやラップトップコンピュータなどのコンピュータでよい。さらに別の実施形態において、装置２１２は、方法１００を実施する命令を記憶し実行するようにプログラムされたＶｏＩＰ電話でよい。いずれの場合も、ネットワーク２００を特性付ける装置２１２は、ＶｏＩＰネットワーク２００の呼び出し端２０８に接続するインタフェースを含むことがある。装置２１２は、また、実行されたときに方法１００を実施するコードが記憶されたコンピュータ可読媒体（例えば、固定式または取外し式のメモリまたはディスク）を含んでもよい。
【００１０】
装置２１２によって送られることがある最初のメッセージは、ピング（ｐｉｎｇ）メッセージである。ピングメッセージは、呼び出し開始メッセージを既に送った（またはこれから送る）呼び出しプロキシサーバ２０６に送られることがある。ピングメッセージの送信に応じて、装置２１２は、ピング応答を受け取ることがある。次に、ピングメッセージを送った時間とピング応答を受け取った時間の差の関数としてピング遅延を計算することができる。ピングメッセージが、呼び出しプロキシサーバ２０６の処理オーバヘッドをほとんど必要としない場合は、ピング遅延を１つまたは複数のプログラム可能な基準値と比較して第１のネットワークセグメント２０２を特性付けることができる。この説明の後の方でより詳しく説明するように、ネットワークセグメント２０２は、合格／不合格の基準または等級化した基準でピング遅延を格付けすることによって特性付けることができる。ピング遅延（および、ネットワークセグメント）は、数字、文字またはグラフィックを使用して格付けすることもできる。
【００１１】
呼び出し開始メッセージの送信に応じて、装置２１２は、様々な応答メッセージを受け取ることがある。例えば、装置２１２は、呼び出しプロキシサーバ２０６が呼び出し開始メッセージを受け取ったこと示すサーバ肯定応答を受け取る。次に、１）ピングメッセージを送った時間とピング応答を受け取った時間の差と、２）呼び出し開始メッセージを送った時間とサーバ肯定応答を受け取った時間の差の関数としてインバイト遅延（ｉｎｖｉｔｅ  ｄｅｌａｙ）を計算することができる。ＶｏＩＰネットワーク２００によって使用されるプロトコルによって、インバイト遅延を１つまたは複数のプログラム可能な基準値と比較して、呼び出しプロキシサーバ２０６の少なくとも一部分（すなわち、一部分または全部）を特性付けることができる。この説明の後の方でより詳しく説明するように、合格／不合格の基準または等級化した基準でインバイト遅延を格付けすることによって、呼び出しプロキシサーバ２０６を特性付けることができる。インバイト遅延（および、呼び出しプロキシサーバ２０６）は、数字、文字またはグラフィックを使用して格付けすることもできる。
【００１２】
装置２１２は、また、ネットワーク２００の被呼び出し端２１０からいくつかの肯定応答を受け取る場合がある。例えば、被呼び出し端２１０からの最初の肯定応答は、１）呼び出しプロキシサーバ２０６を介して装置２１２に送られ、２）装置の呼び出し開始メッセージの送信に応じて被呼び出し端２１０に連絡がとられたことを示す。次に、サーバ肯定応答を受け取った時間と被呼び出し端２１０からの最初の肯定応答を受け取った時間の差の関数としてシグナリング遅延を計算することができる。ＶｏＩＰネットワーク２００によって使用されるプロトコルによって、シグナリング遅延を１つまたは複数のプログラム可能な基準値と比較して、呼び出しプロキシサーバ２０６と第２のネットワークセグメント２０４の少なくとも一部分（すなわち、一部分か全部）を特性付けることができる。例えば、ＶｏＩＰプロトコルがＳＩＰ（セッション開始プロトコル）の場合、インバイト遅延を使用して呼び出しプロキシサーバ２０６のＳＩＰプロトコルスタックを特性付けることができる。この説明の後の方でより詳しく説明するように、シグナリング遅延を合格／不合格の基準または等級化した基準で格付けすることによって、呼び出しプロキシサーバ２０６と第２のネットワークセグメント２０４を特性付けることができる。シグナリング遅延（および、呼び出しプロキシサーバ２０６と第２のネットワークセグメント２０４）は、数字、文字またはグラフィックで格付けすることもができる。
【００１３】
１つの実施形態において、シグナリング遅延は、また、第２のネットワークセグメント２０４と関連付けられた遅延の関数として計算される。この方式において、第２のネットワークセグメント２０４と関連した遅延をシグナリング遅延の計算から除外してもよく、シグナリング遅延を１つまたは複数のプログラム可能な基準値と比較して呼び出しプロキシサーバ２０６の少なくとも一部分（例えば、呼び出しプロキシサーバ２０６の利用レベルまたは負荷）を特性付けることができる。また、シグナリング遅延を使用して、ロケーションデータベース２１６（例えば、ＶｏＩＰネットワーク２００の被呼び出し端２１０のＩＰアドレス、電話番号またはロケーションを識別するためにＳＩＰ呼び出しプロキシサーバ２０６によってアクセスされるデータベース）の呼び出しプロキシサーバのアクセスを特性付けることができる。あるいは、図３に示した代替のネットワーク構成３００において、シグナリング遅延を使用して、第１と第２のネットワークセグメント２０２、２０４の間に結合された一連のプロキシサーバ２０６、３０２およびネットワークセグメント３０４の全てまたは一部分を特性付けることができる。
【００１４】
第２のネットワークセグメント２０４は、様々な方法で特性付けることができる。１つの実施形態において、（例えば、装置２１２が）ＶｏＩＰネットワーク２００の被呼び出し端２１０に、呼び出し開始メッセージに基づいて被呼び出し端２１０が呼を受け取るプロキシサーバ２０６にピングメッセージを送らせることができる。次に、第２のピングメッセージに関する情報とそれに対する応答を、ＶｏＩＰネットワーク２００の呼び出し端２０８に送らせることもできる。次に、第１のネットワークセグメント２０２を特性付けることができる方法と同じように、その情報を使用して第２のネットワークセグメント２０４と関連した遅延を特性付けることができる。
【００１５】
装置２１２は、また、ネットワーク２００の被呼び出し端２１０から第２の肯定応答を受け取ることができる。第２の肯定応答は、第１の肯定応答と類似のものでもよいが、呼び出しプロキシサーバ２０６を含まない呼び出し端２０８と被呼び出し端２１０の間のリンク２１８を介して送られてもよい。ネットワーク２００の被呼び出し端２１０からの第１と第２の肯定応答が与えられた場合は、第１と第２の肯定応答を受け取った時間の差の関数として信号経路遅延を計算することができる。
【００１６】
１つの実施形態において、様々なメッセージ送信時間および受信時間あるいはそれらの時間から計算した遅延から、Ｖ０ＩＰネットワーク２００の遅延総量を計算することができる。例えば、遅延総量は、ピング遅延、インバイト遅延、シグナリング遅延、および信号経路遅延の平均として計算することができる。次に、遅延総量を基準値のうちの１つまたは複数と比較して、ＶｏＩＰネットワーク２００全体を特性付けることができる。
【００１７】
本明細書に開示した遅延のいずれかまたは全てならびに計算することができる他の遅延は、合格／不合格の基準または等級化した基準で格付けすることがきる。すなわち、これらの遅延は、例えば、１）基準値を超えるかどうか、２）基準値に対する近さ、または３）複数の基準値との関係に基づいて格付けすることができる。また、遅延は、ユーザが理解し易い数字（例えば、１〜５の等級）、文字（例えば、劣等、平均、優秀）、またはグラフィック（例えば、色分け、「承認マーク（ｔｈｕｍｂｓ  ｕｐ）」、または「拒絶マーク（ｔｈｕｍｂｓ  ｄｏｗｎ）」）で格付けされてもよい。
【００１８】
装置２１２は、表示装置を備えることが好ましい。この方式において、ＶｏＩＰネットワーク２００の特性を表示装置に表示することができる。例えば、ネットワーク２００に関連する各遅延を、プログラム可能な基準値と比較することによって格付けすることができる。次に、遅延の格付けを、ネットワーク２００の遅延による影響を受ける可能性が高い部分と共に表示することができる。遅延と比較される基準値をプログラムすることができるので、様々なＶｏＩＰネットワークの評価において装置２１２を使用することができる。プログラム可能な基準値により、ユーザは、所望のネットワークのサービス品質（ＱｏＳ）に対応する基準値をプログラムすることもできる。
【００１９】
本明細書に開示した方法１００と装置２１２は、ある意味で、ＶｏＩＰネットワークにおける遅延の適当な原因を識別するために使用できるという点で有用である。さらに、方法１００と装置２１２は、比較的小さいオーバヘッドでそれを行うことができる。ＶｏＩＰネットワーク２００を利用し、ネットワーク２００を介して送られるパケットをサンプリングし解析する多くの従来の方法および装置と異なり、本明細書に開示した方法１００および装置２１２は、ＶｏＩＰネットワーク２００を介して通常の方法で信号を送る。その結果、本明細書に開示した方法１００と装置２１２によって、ＶｏＩＰネットワーク２００（および、そのセグメントと要素）を正確に特性付けすることができる。
【００２０】
本明細書に開示した方法１００と装置２１２を、いくつかの事例において、ＳＩＰプロトコルを実施するＶｏＩＰネットワーク２００の分脈で開示したが、方法１００と装置２１２は、ＩＴＵ／Ｔ  Ｈ．３２３プロトコルなどの他のプロトコルを実施するＶｏＩＰネットワークにも適用される。
【００２１】
最後に本発明の代表的な実施態様を列挙する。
（実施態様１）
ボイスオーバインターネットプロトコル（ＶｏＩＰ）ネットワークを特性付ける方法であって、
前記ＶｏＩＰネットワークの呼び出し端から、前記ＶｏＩＰネットワークの被呼び出し端に送られる呼び出し開始メッセージを含む複数の定義済みメッセージを送信する段階と、
前記複数の定義済みメッセージの送信に応じて、前記ＶｏＩＰネットワークの前記呼び出し端で複数の定義済み応答メッセージを受け取る段階と、
複数の遅延を計算する段階であって、各遅延が、ｉ）前記メッセージを送った時間と、ｉｉ）前記応答メッセージを受け取った時間とから選択された少なくとも２つのタイミング測定値の関数である段階と、
前記遅延をプログラム可能な基準値と比較することによって前記ＶｏＩＰネットワークを特性付ける段階とを有することを特徴とする方法。
【００２２】
（実施態様２）
前記複数の定義済みメッセージが、さらに、前記呼び出し開始メッセージを経由させる呼び出しプロキシサーバに送られるピングメッセージを含み、
前記複数の定義済み応答メッセージがピング応答を含み、
前記遅延が、前記ピングメッセージを送った時間と前記ピング応答を受け取った時間の差の関数であるピング遅延を含むことを特徴とする実施態様１に記載の方法。
【００２３】
（実施態様３）
前記ＶｏＩＰネットワークを特性付ける段階が、前記ＶｏＩＰネットワークの前記呼び出し端を前記呼び出しプロキシサーバに接続する第１のネットワークセグメントを特性付ける段階を含み、前記第１のネットワークセグメントが、前記ピング遅延を前記プログラム可能な基準値のうちの１つまたは複数と比較することによって特性付けられることを特徴とする実施態様２に記載の方法。
【００２４】
（実施態様４）
前記複数の定義済み応答メッセージが、前記呼び出し開始メッセージを受け取った前記呼び出しプロキシサーバを示すサーバ肯定応答を含み、
前記遅延が、ｉ）前記ピングメッセージを送った時間と前記ピング応答を受け取った時間の差と、ｉｉ）前記呼び出し開始メッセージを送った時間と前記サーバ肯定応答を受け取った時間と差の関数であるインバイト遅延を含むことを特徴とする実施態様２に記載の方法。
【００２５】
（実施態様５）
前記ＶｏＩＰネットワークを特性付ける段階が、前記呼び出しプロキシサーバの少なくとも一部分を特性付け、前記呼び出しプロキシサーバの前記少なくとも一部分が、前記インバイト遅延を前記プログラム可能な基準値のうちの１つまたは複数と比較することによって特性付けられることを特徴とする実施態様４に記載の方法。
【００２６】
（実施態様６）
前記複数の定義済み応答メッセージが、前記被呼び出し端からの第１の肯定応答を含み、前記第１の肯定応答が、ｉ）前記呼び出しプロキシサーバを介して送られ、ｉｉ）前記呼び出し開始メッセージに応じて前記被呼び出し端と連絡がとられたことを示し、
前記遅延が、前記サーバ肯定応答を受け取った時間と前記被呼び出し端からの前記第１の肯定応答を受け取った時間の差の関数であるシグナリング遅延を含むことを特徴とする実施態様４に記載の方法。
【００２７】
（実施態様７）
前記シグナリング遅延が、また、前記ＶｏＩＰネットワークの前記被呼び出し端を前記被呼び出し端が前記呼び出しを受け取るプロキシサーバに接続する第２のネットワークセグメントと関連付けられた遅延の関数であることを特徴とする実施態様６に記載の方法。
【００２８】
（実施態様８）
前記ＶｏＩＰネットワークを特性付ける段階が、ロケーションデータベースサーバのアクセスを特性付ける段階を含み、前記ロケーションデータベースサーバの前記アクセスが、前記シグナリング遅延を前記プログラム可能な基準値のうちの１つまたは複数と比較することによって特性付けられることを特徴とする実施態様７に記載の方法。
【００２９】
（実施態様９）
前記ＶｏＩＰネットワークを特性付ける段階が、前記第１と第２のネットワークセグメント間に結合された一連のプロキシサーバとネットワークセグメントの一部分または全てを特性付ける段階を含み、前記一連のプロキシサーバが、前記シグナリング遅延を前記プログラム可能な基準値のうちの１つまたは複数と比較することによって特性付けられることを特徴とする実施態様７に記載の方法。
【００３０】
（実施態様１０）
前記ＶｏＩＰネットワークの前記被呼び出し端に第２のピングメッセージを送らせる段階であって、前記第２のピングメッセージが、前記被呼び出し端が前記呼び出し開始メッセージに基づいて前記呼び出しを受け取るプロキシサーバに送られる段階と、
前記第２のピングメッセージおよび前記第２のピングメッセージに対する応答に関する情報を、前記ＶｏＩＰネットワークの前記呼び出し端に送らせる段階と、
前記情報を使用して、前記第２のネットワークセグメントと関連付けられた前記遅延を特性付ける段階とをさらに有することを特徴とする実施態様７に記載の方法。
【００３１】
（実施態様１１）
前記ＶｏＩＰネットワークを特性付ける段階が、前記第２のネットワークセグメントを特性付ける段階を含み、前記第２のネットワークセグメントが、前記第２のネットワークセグメントに関連付けられた前記遅延を前記プログラム可能な基準値のうちの１つまたは複数と比較することによって特性付けられることを特徴とする実施態様１０に記載の方法。
【００３２】
（実施態様１２）
前記複数の定義済み応答メッセージが、前記被呼び出し端からの第２の肯定応答を含み、前記第２の肯定応答が、ｉ）前記呼び出しプロキシサーバを含まない前記被呼び出し端と前記呼び出し端の間のリンクを介して送られ、ｉｉ）前記呼び出し開始メッセージに応じて前記被呼び出し端に連絡がとられることを示し、
前記遅延が、前記第１と第２の肯定応答を受け取った時間の差の関数である信号経路遅延を含むことを特徴とする実施態様６から１１のいずれかに記載の方法。
【００３３】
（実施態様１３）
前記遅延が、前記ＶｏＩＰネットワークの遅延総量を含むことを特徴とする実施態様８に記載の方法。
【００３４】
（実施態様１４）
前記ＶｏＩＰネットワークを特性付ける段階が、前記遅延と前記プログラム可能な基準値との比較に応じて前記遅延の少なくとも一部分を格付けする段階をさらに含むことを特徴とする実施態様１から１３のいずれかに記載の方法。
【００３５】
（実施態様１５）
前記遅延の少なくとも一部分が、数字で格付けされることを特徴とする実施態様１４に記載の方法。
【００３６】
（実施態様１６）
前記遅延の少なくとも一部分が、文字で格付けされることを特徴とする実施態様１４に記載の方法。
【００３７】
（実施態様１７）
前記遅延の少なくとも一部分が、グラフィックで格付けされることを特徴とする実施態様１４に記載の方法。
【００３８】
（実施態様１８）
前記遅延の少なくとも一部分が、合格／不合格の基準で格付けされることを特徴とする実施態様１４に記載の方法。
【００３９】
（実施態様１９）
前記ＶｏＩＰネットワークを特性付ける段階が、前記ネットワークの前記遅延のそれぞれによって影響を受ける部分を識別する段階を含むことを特徴とする実施態様１４から１８のいずれかに記載の方法。
【００４０】
（実施態様２０）
前記ＶｏＩＰネットワークを特性付ける段階が、各遅延を前記遅延と前記プログラム可能な基準値との比較に応じて格付けする段階を含むことを特徴とする実施態様６から１９のいずれかに記載の方法。
【００４１】
（実施態様２１）
ボイスオーバインターネットプロトコル（ＶｏＩＰ）ネットワークを特性付ける装置であって、
前記ＶｏＩＰネットワークの呼び出し端に接続するインタフェースと、
コンピュータ可読媒体であって、
前記インタフェースを介して、前記ＶｏＩＰネットワークの被呼び出し端に送られる呼び出し開始メッセージを含む複数の定義済みメッセージを送り、
前記複数の定義済みメッセージの送信に応じて、前記インタフェースを介して複数の定義済み応答メッセージを受け取り、
それぞれｉ）前記メッセージを送った時間と、ｉｉ）前記応答メッセージを受け取った時間とから選択した少なくとも２つのタイミング測定値の関数である複数の遅延を計算し、
前記遅延を前記プログラム可能な基準値と比較することによって前記ＶｏＩＰネットワークを特性付けるコードが記憶されたコンピュータ可読媒体とを具備することを特徴とする装置。
【００４２】
（実施態様２２）
前記ＶｏＩＰネットワークの前記特性を表示する表示装置をさらに具備することを特徴とする実施態様に２１記載の装置。
【００４３】
（実施態様２３）
前記遅延と前記プログラム可能な基準値との比較に応じて各遅延を格付けするコードをさらに有し、前記格付けが前記表示装置に表示されることを特徴とする実施態様２２に記載の装置。
【００４４】
（実施態様２４）
前記ネットワークの前記遅延のそれぞれにより影響を受ける可能性が高い部分を識別するコードをさらに有し、前記ネットワークの前記部分が、対応する遅延格付けと共に表示装置に表示されることを特徴とする実施態様２３に記載の装置。
【００４５】
（実施態様２５）
前記装置が携帯型装置であることを特徴とする実施態様２３または２４に記載の装置。
【００４６】
（実施態様２６）
前記装置がＶｏＩＰ電話であることを特徴とする実施態様２３から２５のいずれかに記載の装置。
【図面の簡単な説明】
【００４７】
【図１】ＶｏＩＰネットワークを特性付ける例示的な方法を示す図である。
【図２】ＶｏＩＰネットワークの第１の例示的なブロック図である。
【図３】ＶｏＩＰネットワークの第２の例示的なブロック図である。
【符号の説明】
【００４８】
２００  ネットワーク
２０２、２０４  ネットワークセグメント
２０６  呼び出しプロキシサーバ
２０８  呼び出し端
２１０  被呼び出し端
２１２、２１４  装置
２１６  ロケーションデータベース
２１８  リンク
【図１】
2006340348.tif 000003
【図２】
2006340348.tif 000004
【図３】
2006340348.tif 000005